(57)【要約】【課題】扉を閉じる時に鉤部材のみが回動し操作部（把手）は回動しない構造とすることと、扉の開閉方向を容易に変更できる構造とすること。【解決手段】扉の上下にわたる把手を設け、その把手の上下両端部に一対の鉤部材を設け、把手と鉤部材とを扉の上下方向の軸を中心に回動可能とすると共に、ラッチを外すための把手の操作で鉤部材は回動するが、ラッチが掛合する鉤部材の動きで把手は回動しないようにするために、鉤部材に接触片を形成して把手の操作片の外側に接触する構造とした。また、ヒンジの軸を固定する金具を薄板帯状で指先で折り曲げ可能にして、扉の取付け取外しを容易にし、ラッチの掛合孔とヒンジの軸受孔を左右両部に形成した。【選択図】図５
2005220595.tif 000002
【特許請求の範囲】
【請求項１】
左右どちらか一側端部を中心として揺動する扉において、他方の端部寄りに上下にわたる把手を設け、その把手の上下両端部に一対の鉤部材を設け、把手と鉤部材とを扉の上下方向の軸で回動可能に軸支すると共に、把手と鉤部材の一部を掛合させることにより把手の回動と鉤部材の回動が同期するあるいは同期しないよう構成したことを特長とする収納家具の扉構造。
【請求項２】
把手は、上下端部を扉の上下端部に軸支し、その回動軸を中心とした棒状体とその棒状体の上下に渡って横向きに張り出した操作片からなり、鉤部材は、前記把手の上下端部と扉の上下端部の間に配置して前記回動軸で軸支し、扉内側に突き出た横向きの鉤を形成すると共に、把手の端部にかぶさって操作片の外側面に接する接触片を形成していることを特長とする請求項１記載の収納家具の扉構造。
【請求項３】
鉤部材は、前記鉤が掛合する方向に常に復元力が加えられ、扉が閉じる直前に戸枠に形成した掛合孔の縁に接する傾斜部を鉤部材に形成し、前記傾斜部が掛合孔の縁を摺り動くことにより鉤部材のみが回動し、前記縁をかわして掛合することを特長とする請求項１または２記載の収納家具の扉構造。
【請求項４】
扉ヒンジ部は、扉の上下端部を貫通して先端を突出するＬ字型に形成した一対の旋回軸と、戸枠の上下に形成した前記旋回軸の先端を挿入する上下一対の軸受孔と、前記旋回軸の垂直部を挿通支持する水平片と旋回軸の水平部を支持する垂直片および指先で折曲可能な舌片を有する一対の軸固定具とからなり、前記上下一対の軸受孔と、鉤部材に対応した上下一対の掛合孔は、それぞれ左右反対側にも形成したことを特長とする請求項１ないし３のいずれかに記載の収納家具の扉構造。
【発明の詳細な説明】
【技術分野】
【０００１】
本発明は、収納家具の扉に関するものである。詳しくは揺動扉のラッチ構造とヒンジ構造に関するものである。
【背景技術】
【０００２】
従来キャビネット等の収納家具の前面開口部を開閉する扉は、引戸に比べて構造が簡単な揺動タイプの扉が多く見られる。扉の一側方をヒンジで軸支し、他側方にラッチを設けて戸枠の掛合部に掛合する構造である。扉を閉めることにより鉤部材等は自動的にバネ等の力で戸枠の掛合部に掛合し、扉を開く時は鉤部材等と一体的な操作部またはリンクした操作部を操作して掛合をはずすので、操作部は把手を兼ねている場合が多い。
【特許文献１】特開２００３−２３５６６２号公報
【０００３】
しかし、以上に述べた従来の扉のラッチ構造では、扉を閉じる時に鉤部材が掛合部をかわした後に掛合するという一瞬の動作があり、操作部（把手）は、前記動作に同期して動く。すなわち操作部（把手）を押して扉を閉める時に操作部（把手）は一瞬それに反発した動きをするので無理な力が加わるという欠点があった。また扉の鉤部材と戸当りの掛合部の位置関係で扉の開き方向を変更することはできず、ヒンジ構造も逆位置に容易に付け変えることができるものではなかった。
【０００４】
このように従来の収納家具では扉を開閉するたびに操作部（把手）に無理な力が加わって長期に渡って使用している間に開閉が確実に行われなくなったり、また家具の配置換えをしたことで扉の開閉方向が不便になってもそのまま使用しなければならないなどの問題があった。
【発明の開示】
【発明が解決しようとする課題】
【０００５】
解決しようとする問題点は、扉を閉じる時に鉤部材のみが回動し操作部（把手）は回動しない構造とすることと、扉の開閉方向を容易に変更できる構造とすることである。
【課題を解決するための手段】
【０００６】
本発明は、扉の上下にわたる把手を設け、その把手の上下両端部に一対の鉤部材を設け、把手と鉤部材とを扉の上下方向の軸で回動可能に軸支すると共に、把手と鉤部材の一部を掛合させることにより把手の回動と鉤部材の回動が同期するあるいは同期しないよう構成したものであり、そのような構成とするために鉤部材に、把手の端部にかぶさって操作片の外側面に接する接触片を形成した。
【０００７】
よって鉤部材は、形成された傾斜部が掛合孔の縁を摺り動くことにより回動し、前記縁をかわして常に加えられている復元力により掛合孔に掛合するが、把手はその動きに同期することはない。しかし扉を開く時は、把手の回動操作により鉤部材が同期して回動し掛合孔との掛合が外れる。
【０００８】
また、扉ヒンジ部は、扉の上下端部を貫通して先端を突出するＬ字型に形成した一対の旋回軸と、戸枠の上下に形成した前記旋回軸の先端を挿入する上下一対の軸受孔と、前記旋回軸の垂直部を挿通支持する水平片と旋回軸の水平部を支持する垂直片および指先で折曲可能な舌片を有する一対の軸固定具とからなり、前記上下一対の軸受孔と、鉤部材に対応した上下一対の掛合孔は、それぞれ左右反対側にも形成した。
【０００９】
上記のように構成することにより、扉の旋回軸は折り曲げている舌片を伸ばすことにより扉から容易に取り外すことができ、すなわち扉を収納家具本体の戸枠から容易に取外すことができ、左右にそれぞれ形成した掛合孔と軸受孔があるので、外した扉を上下逆さまにして取付けると右開きが左開きに、あるいはその逆にすることができる。
【発明の効果】
【００１０】
本発明の扉構造は、把手を押して扉を閉める時に鉤部材のみが回動して掛合孔に掛合し、把手が鉤部材に同期して押される方向と逆方向に回動しないので、把手に無理な負荷がかかり長期間使用しているうちにラッチ機構に不具合が生じるということがない。
【００１１】
また、収納家具の扉の開き方向は、一般的には使用方法、使用場所、他の家具との位置関係等が影響し、右開きにするか、左開きにするかは使用者個人の判断により購入前に決定しておくか、あるいは組立てる時点で決定しておく必要があった。しかし本発明の扉構造は、一つの製品で部材を替えることなく、また複雑な作業を必要とすることなく右開きか左開きかを選択することができ、さらに組立終了後、使用している状態においても周囲の状況の変化に応じて扉を逆の開き方に変換することが容易である。
【発明を実施するための最良の形態】
【００１２】
以下、本発明を図の具体例を用いて詳細に説明する。
【実施例１】
【００１３】
図１は、本発明の扉構造を用いた収納家具の全体を示す斜視図である。収納家具Ａは、床板Ａ１、側面パネルＡ２、Ａ２、背面パネル（図示なし）、屋根パネルＡ３からなる前面を開口した箱体であり、前記開口部を扉１で開閉する。扉１はその右側端部を、収納家具Ａの開口周囲の戸枠に軸支し、左側端寄りに上下にわたる把手２と、その把手２の上下端部にそれぞれ鉤部材３、３を配置している。
【００１４】
図２は、扉１と収納家具Ａの開口部の左上端付近を、一部分解切断して示した斜視図である。
扉１は、左側端寄り外面に溝部１１を形成し、その溝部１１内に上下にわたる棒状体２１とその棒状体２１の上下にわたって右側に張り出した操作片２２からなる把手２と、その把手の上下端部に配置された鉤部材３を有する。把手２と鉤部材３は回動軸４で扉１の上下端部にそれぞれ回動可能に軸支されている。
【００１５】
鉤部材３は、扉１の溝部１１の底面を貫通して左向きに形成された鉤３１とそれに続く傾斜部３２と、把手２の端部にかぶさり操作片２２の外側面に接する接触片３３を形成し、ばね３４により鉤３１が掛合する向き（反時計回り）に復元力が加えられている。扉１が閉じた状態で鉤３１は、屋根パネルＡ３の下面前方に設けられた鴨居Ａ３１の掛合孔Ａ３２に掛合する。
【００１６】
図３は、図２の断面図であり（ａ）（ｂ）（ｃ）（ｄ）と扉１が閉じられ、また開けるまでの状態を示したものである。
（ａ）は、把手２の操作片２２が押されて扉１が閉じられる直前で鉤部材３の傾斜部３２が掛合孔Ａ３２の左縁に接触した状態を示したものであり、把手２および鉤部材３は回動していない通常の姿勢である。
【００１７】
（ｂ）は、さらに操作片２２が押されて傾斜部３２が掛合孔Ａ３２の左縁をすべって鉤部材３がばね３４の復元力に逆らって時計回りに回動している状態を示している。この時鉤部材３は回動しているが、接触片３３は操作片２２に作用しないため、把手２は回動することなくそれまでと同じ姿勢を保っている。
【００１８】
（ｃ）は、扉１が完全に閉じた状態を示したものであり、傾斜部３２が掛合孔Ａ３２の左縁を外れて、ばね３４により鉤部材３が元の状態に復元し、鉤３１が掛合孔Ａ３２の左縁に掛合して扉１が開かない状態となる。
（ｄ）は、扉１を開く時の状態を示している。把手２の操作片２２に指をかけて引く（扉を開く向き）ことにより把手２が回動し、操作片２２が接触片３３を押すので鉤部材３も回動して鉤３１が掛合孔Ａ３２の左縁から外れて扉を開くことができる状態となる。
【００１９】
図４は、本発明の扉構造のヒンジ構造を示す一部分解した斜視図である。扉１は、把手と反対側端部の上下に先端を突出するＬ字型の旋回軸１２、１２と、その旋回軸１２を扉１の内側上下にそれぞれ取付けるための軸固定具１３、１３を備える。
【００２０】
軸固定具１３は、旋回軸１２の垂直部１２ａを通して支える水平片１３ａと、水平部１２ｂを支持する垂直片１３ｂと舌片１３ｃが形成され、舌片１３ｃは、旋回軸１２の水平部１２ｂに合わせて指で曲げ得るように比較的薄板で細く形成されている。
戸枠となる屋根パネルＡ３の鴨居Ａ３１と床パネルＡ１の前端部には、それぞれ前記旋回軸１２の先端が挿入される軸受孔Ａ３３、Ａ３３があけられている。
【００２１】
扉１を家具本体に取付けるには、旋回軸１２の垂直部１２ａを、軸固定具１３の水平片１３ａと扉１の上面、下面を介して軸受孔Ａ３３に挿入した後、旋回軸１２の水平部１２ｂを軸固定具１３の垂直片１３ｂと舌片１３ｃの間に入れて舌片１３ｃを折り曲げると旋回軸１２は扉１に固定され、扉１は開閉が可能となる。また逆に扉１を外す必要がある時は、折り曲げた舌片１３ｃを伸ばして旋回軸１２を抜取ることにより扉１を家具本体から外すことができる。
【００２２】
図５は、収納家具の戸枠部分と扉１とを示した分解斜視図であり、屋根パネルＡ３の鴨居Ａ３１の左右両端部に、扉１の鉤部材３に対応した掛合孔Ａ３２と旋回軸１２に対応した軸受孔Ａ３３をそれぞれ設けると共に、床パネルＡ１の前端の左右両端部に同じく掛合孔Ａ３２と軸受孔Ａ３３をそれぞれ設けている。
図６は、扉１を上下逆さにして収納家具Ａの戸枠左端に軸支して、図５と逆の開き扉とした状態を示す斜視図である。
【産業上の利用可能性】
【００２３】
本発明の扉構造は、収納家具の揺動タイプの扉で、特に扉のラッチが上下端部２ヵ所にあるので扉を確実に閉めることができ、またそのラッチを操作する把手が扉の上下にわたっているので、どの高さにおいても扉の開閉操作が容易であることから、背が高い収納家具においてその効果がもっとも発揮できるものである。
【図面の簡単な説明】
【００２４】
【図１】全体の斜視図
【図２】要部を示す分解斜視図
【図３】動作を示す断面図
【図４】別の要部を示す分解斜視図
【図５】開口部分の全体を示す分解斜視図
【図６】逆の取付け方を示す斜視図
【符号の説明】
【００２５】
Ａ…収納家具
Ａ１…床パネル
Ａ２…側面パネル
Ａ３…屋根パネル
１…扉
１２…旋回軸
２…把手
２２…操作片
３…鉤部材
３１…鉤
４…回動軸
【図１】
2005220595.tif 000003
【図２】
2005220595.tif 000004
【図３】
2005220595.tif 000005
【図４】
2005220595.tif 000006
【図５】
2005220595.tif 000007
【図６】
2005220595.tif 000008